(57)【要約】【課題】この発明は、耐衝撃性に優れ、設置スペースを小さくできる電子機器を提供することを課題とする。【解決手段】ディスク装置４０は、ハードディスクドライブ１、ＨＤＤ１の略矩形板状の筐体１１の縁部１ａに取り付けられるアダプタ４２、およびアダプタ４２のフランジ部４３に取り付けられたダンパ４４を有する。アダプタ４２は筐体１１の縁部１ａに嵌合可能なばね構造を有し、筐体１１の縁部１ａから離れる方向に延設された板状のフランジ部４３を有する。ダンパ４４は、フランジ部４３を受け入れ可能なスリット４５を有するブロック状の衝撃吸収部材により形成されている。【選択図】　　図２
2004014030.tif 000002
【特許請求の範囲】
【請求項１】
本体と、
この本体に内蔵され、データの読み書きを行なう記録装置と、
この記録装置を保持する保持部、およびこの保持部より延出する支持部を有する保持部材と、
上記支持部を支持する緩衝部材と、
を備えていることを特徴とする電子機器。
【請求項２】
上記緩衝部材は、上記支持部を受け入れる受入部を有するブロック状の衝撃吸収部材であることを特徴とする請求項１に記載の電子機器。
【請求項３】
上記保持部は、上記記録装置に対して接着固定されることを特徴とする請求項１に記載の電子機器。
【請求項４】
上記保持部は、上記記録装置に嵌合するばね構造を有することを特徴とする請求項１に記載の電子機器。
【請求項５】
ディスク状の記録媒体と、
この記録媒体を支持および回転駆動するモータと、
上記記録媒体に対して情報の記録および再生を行なうヘッドと、
このヘッドを上記記録媒体に沿って移動させるアクチュエータと、
上記記録媒体、モータ、ヘッド、およびアクチュエータを収容した筐体と、
この筐体の外側に固定的に取り付けられ、該筐体から離れる方向に延出した板状部を有する保持部材と、
この保持部材の板状部に取り付けられた緩衝部材と、
上記保持部材を介して緩衝部材を取り付けた状態の筐体を収容したケースと、
を備えていることを特徴とする電子機器。
【請求項６】
上記緩衝部材は、上記保持部材の板状部を受け入れるスリットを有するブロック状の衝撃吸収部材であることを特徴とする請求項５に記載の電子機器。
【請求項７】
上記保持部材は、上記筐体に対して接着固定されることを特徴とする請求項５に記載の電子機器。
【請求項８】
上記保持部材は、上記筐体に嵌合するばね構造を有することを特徴とする請求項５に記載の電子機器。
【請求項９】
ディスク状の記録媒体と、
この記録媒体を支持および回転駆動するモータと、
上記記録媒体に対して情報の記録および再生を行なうヘッドと、
このヘッドを上記記録媒体に沿って移動させるアクチュエータと、
上記記録媒体、モータ、ヘッド、およびアクチュエータを収容した略矩形板状の筐体と、
この筐体の縁部に固定的に取り付けられ、該縁部から離れる方向に延出した上記筐体より薄い板状部を有する保持部材と、
この保持部材の板状部を受け入れるスリットを有するとともに上記筐体より厚く形成された緩衝部材と、
上記保持部材を介して緩衝部材を取り付けた状態の筐体を収容したケースと、
を備えていることを特徴とする電子機器。
【発明の詳細な説明】
【０００１】
【発明の属する技術分野】
この発明は、ディスク状の記録媒体に対する情報の記録および再生を行なう電子機器に関する。
【０００２】
【従来の技術】
従来、ディスク装置として、例えば、パーソナルコンピュータ等の電子機器に搭載可能な小型且つ大容量のハードディスクドライブ（以下、ＨＤＤと称する）が知られている。
【０００３】
ＨＤＤは、高速回転するディスク、ディスクに対する情報の記録および再生を行なうヘッド、ヘッドを先端に搭載して揺動することでヘッドをディスクの所望するトラック上へ移動および位置決めするヘッドアクチュエータ、および装置の外殻をなす筐体を有する。
【０００４】
ＨＤＤは、高速回転するディスクに対して微小ギャップを介してヘッドを対向させる必要があるため、動作中に外部から振動が与えられると、ヘッドがディスクに接触して正常な動作ができなくなる。このため、略矩形板状のＨＤＤの筐体の周囲に衝撃を吸収するためのゴム等のダンパを取り付けた状態で、電子機器に組み込まれる。
【０００５】
【発明が解決しようとする課題】
しかし、上述した従来のＨＤＤのダンパは、例えば、断面コ字状に形成されて筐体の少なくとも３つの端部を覆うように設けられるため、筐体の厚さ方向、幅方向、および長さ方向に関し、電子機器内部におけるＨＤＤの設置スペースをひとまわり大きく確保する必要があった。
【０００６】
この発明は、以上の点に鑑みなされたもので、その目的は、耐衝撃性に優れ、設置スペースを小さくできるディスク装置を提供することにある。
【０００７】
【課題を解決するための手段】
上記目的を達成するため、本発明の電子機器は、本体と、この本体に内蔵され、データの読み書きを行なう記録装置と、この記録装置を保持する保持部、およびこの保持部より延出する支持部を有する保持部材と、上記支持部を支持する緩衝部材と、を備えている。
【０００８】
また、本発明の電子機器は、ディスク状の記録媒体と、この記録媒体を支持および回転駆動するモータと、上記記録媒体に対して情報の記録および再生を行なうヘッドと、このヘッドを上記記録媒体に沿って移動させるアクチュエータと、上記記録媒体、モータ、ヘッド、およびアクチュエータを収容した筐体と、この筐体の外側に固定的に取り付けられ、該筐体から離れる方向に延出した板状部を有する保持部材と、この保持部材の板状部に取り付けられた緩衝部材と、上記保持部材を介して緩衝部材を取り付けた状態の筐体を収容したケースと、を備えている。
【０００９】
更に、本発明の電子機器は、ディスク状の記録媒体と、この記録媒体を支持および回転駆動するモータと、上記記録媒体に対して情報の記録および再生を行なうヘッドと、このヘッドを上記記録媒体に沿って移動させるアクチュエータと、上記記録媒体、モータ、ヘッド、およびアクチュエータを収容した略矩形板状の筐体と、この筐体の縁部に固定的に取り付けられ、該縁部から離れる方向に延出した上記筐体より薄い板状部を有する保持部材と、この保持部材の板状部を受け入れるスリットを有するとともに上記筐体より厚く形成された緩衝部材と、上記保持部材を介して緩衝部材を取り付けた状態の筐体を収容したケースと、を備えている。
【００１０】
【発明の実施の形態】
以下、図面を参照しながらこの発明の実施の形態について詳細に説明する。
【００１１】
図１には、ハードディスクドライブ１（ＨＤＤ）（記録装置）の蓋体１５を取り外した状態の分解斜視図を示してある。ＨＤＤ１は、密閉された扁平な矩形状の筐体１１を備え、この筐体１１は、上面の開口した矩形箱状の本体１０と、複数のねじ１６により本体１０にねじ止めされて本体１０の上端開口を閉塞する矩形板状の蓋体１５と、を有している。
【００１２】
本体１０内には、記録媒体としての２枚の磁気ディスク１２ａ、１２ｂ、これらの磁気ディスク１２ａ、１２ｂを支持および回転駆動させるスピンドルモータ１３（モータ）、磁気ディスク１２ａ、１２ｂに対して情報の記録、再生を行なう複数の磁気ヘッド２２（ヘッド）、これらの磁気ヘッド２２を磁気ディスク１２ａ、１２ｂに沿って移動自在に支持したヘッドアクチュエータ１４（アクチュエータ）、ヘッドアクチュエータ１４を回動および位置決めするボイスコイルモータ（以下ＶＣＭと称する）１９、磁気ヘッド２２が磁気ディスク１２ａ、１２ｂの最外周に移動した際、磁気ヘッド２２を磁気ディスク１２ａ、１２ｂから離間した位置に保持するランプロード機構１８、ヘッドクチュエータ１４を退避位置に保持するイナーシャラッチ機構２０、およびプリアンプ等の回路部品が実装されたフレキシブルプリント回路基板ユニット（以下、ＦＰＣユニットと称する）１７が収納されている。
【００１３】
また、本体１０の外面には、ＦＰＣユニット１７を介してスピンドルモータ１３、ＶＣＭ１９、および磁気ヘッド２２の動作を制御する図示しないプリント回路基板がねじ止めされ、筐体１１の底壁と対向して位置している。
【００１４】
各磁気ディスク１２ａ、１２ｂは、例えば、直径６５ｍｍ（２．５インチ）に形成され、上面および下面に磁気記録層を有している。２枚の磁気ディスク１２ａ、１２ｂは、スピンドルモータ１３の図示しないハブに互いに同軸的に嵌合されているとともにクランプばね２１によりクランプされ、ハブの軸方向に沿って所定の間隔をおいて積層されている。そして、磁気ディスク１２ａ、１２ｂは、スピンドルモータ１３により所定の速度で回転駆動される。
【００１５】
ヘッドアクチュエータ１４は、本体１０の底壁上に固定された軸受組立体２４、軸受組立体２４に取り付けられた４本のアーム２７、および各アーム２７に支持された４つの磁気ヘッド組立体３０を備えている。各磁気ヘッド組立体３０は、板ばねによって形成された細長いサスペンションと、サスペンションに固定された磁気ヘッド２２と、を備えている。
【００１６】
そして、各磁気ヘッド２２は、アーム２７およびサスペンションの表面に貼り付け固定された図示しない中継フレキシブルプリント回路基板、およびメインフレキシブル回路基板３２を介してＦＰＣユニット１７に電気的に接続されている。
【００１７】
ＨＤＤ１の動作時、ヘッドアクチュエータ１４がＶＣＭ１９によって回動され、磁気ヘッド２２が磁気ディスク１２ａ、１２ｂ上を略半径方向に沿って移動し、所望のトラック上に位置決めされる。
【００１８】
上述したＨＤＤ１は、磁気ヘッド２２を磁気ディスク１２の表面に対して微小ギャップを介して対向させる必要があるため、筐体外部から不所望な振動が与えられると、磁気ヘッド２２が高速回転する磁気ディスク１２に容易に接触してしまい、正常な動作が不可能になるばかりか、最悪の場合、磁気ヘッド２２および／或いは磁気ディスク１２が破損してしまうことが考えられる。
【００１９】
このため、通常、ＨＤＤ１は、衝撃を吸収させるためのダンパを取り付けた状態で、パーソナルコンピュータ等の電子機器内に組み込まれる。これにより、不所望な衝撃による上述した不具合を防止するようにしている。以下、ＨＤＤ１の衝撃吸収構造について、いくつかの実施例をあげて説明する。
【００２０】
図２（ａ）には、この発明の第１の実施の形態に係る衝撃吸収構造を備えたディスク装置４０（電子機器）の分解平面図を示してあり、図２（ｂ）には、このディスク装置４０の分解正面図を示してある。また、図３（ａ）には、ダンパを取り付けた状態のディスク装置４０の平面図を示してあり、図３（ｂ）には、このディスク装置４０の正面図を示してある。以下の説明では、ディスク装置４０の略矩形板状のＨＤＤ１に関し、磁気ディスク１２の回転軸に沿った方向を厚さ方向（図中矢印Ｔ方向）とし、図２（ａ）で上下方向（図中矢印Ｌ方向）を長さ方向とし、図２（ａ）で左右方向（図中矢印Ｗ方向）を幅方向とする。
【００２１】
ディスク装置４０は、ＨＤＤ１の衝撃吸収構造として、２つのアダプタ４２（保持部材）、および２つのダンパ４４（緩衝部材、衝撃吸収部材）を有する。２つのアダプタ４２および２つのダンパ４４は、それぞれＨＤＤ１の長さ方向Ｌに沿った縁部１ａ、１ｂに取り付け可能なように左右対称形に形成されているため、ここでは図中左側の構造についてのみ代表して説明する。
【００２２】
アダプタ４２は、ＨＤＤ１の筐体１１の長さ方向Ｌに沿った縁部１ａに嵌合可能なばね構造を有する金属板により断面略コ字状（保持部）に形成されており、ダンパ４４を取り付けるための薄い板状のフランジ部（支持部、板状部）４３を外側に突設している。フランジ部４３は、ＨＤＤ１の筐体１１の縁部１ａから離れる方向、すなわち幅方向Ｗに所定の長さで延出されている。アダプタ４２は、例えばステンレス板などの比較的変形し難い金属や一定の硬度を有するプラスティック板など比較的薄い板状体を加工して形成される。
【００２３】
ＨＤＤ１の蓋体１５に圧接するアダプタ４２の上板部４２ａは、長さ方向Ｌに沿って複数部分に分割されている。一方、本体１０の底部に圧接するアダプタ４２の下板部４２ｂは、長さ方向Ｌに沿って連続している。フランジ部４３の長さは、上板部４２ａ、下板部４２ｂより僅かに短かくされている。また、アダプタ４２の長さ方向Ｌに沿った両端部は、ＨＤＤ１の筐体１１の幅方向Ｗに沿った縁部に対面して覆うようにそれぞれ折り曲げられ、側板部４２ｃとして機能する。
【００２４】
ダンパ４４は、長さ方向Ｌに沿って延びた略矩形ブロック状に形成され、アダプタ４２から突設されたフランジ部４３を受け入れ可能なスリット４５（受入部）を有する。また、ダンパ４４は、アダプタ４２の２つの側板部４２ｃを覆うように折り曲げられた２つの延出部分４４ａ、４４ｂを有する。ダンパ４４の厚さは、図３（ｂ）に示すように、ＨＤＤ１の筐体１１の厚さより僅かに厚くされている。
【００２５】
以上のように、本実施の形態の衝撃吸収構造によると、ＨＤＤ１の筐体１１の縁部１ａに薄い板状体により形成されたアダプタ４２を固定的に取り付けて、ＨＤＤ１の筐体１１の厚さより十分に薄いアダプタ４２の板状のフランジ部４３にダンパ４４のスリット４５を嵌合してダンパ４４を筐体１１の縁部１ａに取り付ける構造としたため、ダンパ４４の厚さ方向Ｔに沿った衝撃吸収能力を損なうことなく、衝撃吸収構造の厚さ方向Ｔに沿ったサイズを小さくできた。
【００２６】
つまり、ＨＤＤ１に対して厚さ方向Ｔから衝撃が加わった場合、ＨＤＤ１より僅かに厚いダンパ４４に厚さ方向Ｔから衝撃が加えられる。このとき、ダンパ４４の衝撃吸収能力は、概ねその厚さに依存するが、本実施の形態のダンパ４４は、薄いスリット４５を介してアダプタ４２のフランジ部４３を受け入れるため、ダンパ４４の厚さを損なうことなく、ダンパ４４自体の厚さを薄くすることができた。
【００２７】
これにより、例えば、図４に示すように、本実施の形態の衝撃吸収構造を備えたＨＤＤ１、すなわちディスク装置４０を、薄い矩形ブロック状のケース５０（本体）内に収容するような場合、ＨＤＤ１の厚さ方向Ｔに沿ったケース５０のサイズを薄くすることができる。当然のことながら、このようにダンパ４４を装着した状態のＨＤＤ１、すなわちディスク装置４０をケース５０内に収容する代わりにパーソナルコンピュータ等の電子機器に直接組み込む場合であっても、電子機器内部におけるＨＤＤ１の設置スペースをその厚さ方向Ｔに沿って小さくできることは言うまでもない。
【００２８】
次に、この発明の第２の実施の形態に係る衝撃吸収構造を備えたディスク装置６０について、図５および図６を参照して説明する。尚、ここでは、上述した第１の実施の形態のディスク装置４０と同様に機能する構成要素については同一符号を付してその詳細な説明を省略する。図５（ａ）には、本実施の形態のディスク装置６０の分解平面図を示してあり、図５（ｂ）には、このディスク装置６０の分解正面図を示してある。また、図６（ａ）には、ダンパを取り付けた状態のディスク装置６０の平面図を示してあり、図６（ｂ）には、このディスク装置６０の正面図を示してある。
【００２９】
ディスク装置６０は、ＨＤＤ１の筐体１１の長さ方向に沿った縁部１ａ、１ｂにそれぞれ嵌合可能なばね構造を有する２つのアダプタ６２、および各アダプタ６２のフランジ部６３にそれぞれ取り付けられる２つのダンパ６４を有する。ここでも、図中左側の構造についてのみ代表して説明する。
【００３０】
アダプタ６２は、金属板を断面略コ字状に折り曲げて形成され、ダンパ６４を取り付けるためのフランジ部６３を外側に突設している。本実施の形態では、フランジ部６３は、ＨＤＤ１の筐体１１の縁部１ａから離れる方向、すなわち厚さ方向Ｔに延出されている。より具体的には、フランジ部６３は、アダプタ６２の下板部６２ｂを厚さ方向Ｔに略９０°折り曲げて形成されている。
【００３１】
アダプタ６２の上板部６２ａは、上述した第１の実施の形態とは異なり、長さ方向Ｌに沿って連続している。また、アダプタ６２の長さ方向Ｌに沿った両端部は、ＨＤＤ１の筐体１１の幅方向Ｗに沿った縁部に対面して覆うようにそれぞれ折り曲げられ、側板部６２ｃとして機能する。
【００３２】
ダンパ６４は、長さ方向Ｌに沿って延びた略矩形ブロック状に形成され、アダプタ６２のフランジ部６３を受け入れ可能なスリット６５を有する。また、ダンパ６４は、アダプタ６２の２つの側板部６２ｃを覆うように折り曲げられた２つの延出部分６４ａ、６４ｂを有する。本実施の形態のダンパ６４は、筐体１１の縁部１ａ近くで筐体１１の底に隣接してＨＤＤ１の下方から取り付けられる。
【００３３】
以上のように、本実施の形態の衝撃吸収構造によると、薄い板状のアダプタ６２をＨＤＤ１の筐体１１に取り付けるとともに、厚さ方向Ｔに延出したフランジ部６３に対してダンパ６４を筐体１１の下方から取り付けるようにしたため、ＨＤＤ１の幅方向Ｗに沿った設置スペースを小さくできた。
【００３４】
尚、この発明は、上述した実施の形態に限定されるものではなく、この発明の範囲内で種々変形可能である。例えば、上述した実施の形態では、ＨＤＤ１の幅方向Ｗおよび厚さ方向Ｔに延出したフランジ部４３、６３にダンパ４４、６４を取り付けた場合について説明したが、これに限らず、ＨＤＤ１の長さ方向Ｌに延出したフランジ部にダンパを取り付けるようにしても良い。これにより、ＨＤＤ１の厚さ方向Ｔおよび幅方向Ｗに関してＨＤＤ１の設置スペースを小さくすることができる。
【００３５】
また、上述した実施の形態では、アダプタ４２、６２をＨＤＤ１の筐体１１の縁部１ａに対して嵌合可能なばね構造を有するように形成したが、例えば接着剤や粘着テープを用いてアダプタを筐体に固着するようにしても良い。或いは、図４で説明したケース５０にディスク装置４０を収容するような場合には、アダプタを筐体１１に固着する必要はない。
【００３６】
さらに、上述した実施の形態では、ＨＤＤ１の衝撃吸収構造について説明したが、これに限らず、不所望な衝撃により信頼性を損なうような他の電子機器に本発明を適用することができる。
【００３７】
【発明の効果】
以上説明したように、この発明の電子機器は、上記のような構成および作用を有しているので、耐衝撃性に優れ、設置スペースを小さくできる。
【図面の簡単な説明】
【図１】この発明の実施の形態に係るディスク装置のＨＤＤの内部構造を説明するための分解斜視図。
【図２】図１のＨＤＤを含むこの発明の第１の実施の形態に係るディスク装置を分解した平面図（ａ）、および正面図（ｂ）。
【図３】図２のディスク装置の平面図（ａ）、および正面図（ｂ）。
【図４】図３のディスク装置をケースに収容する状態を示す分解斜視図。
【図５】図１のＨＤＤを含むこの発明の第２の実施の形態に係るディスク装置を分解した平面図（ａ）、および正面図（ｂ）。
【図６】図５のディスク装置の平面図（ａ）、および正面図（ｂ）。
【符号の説明】
１…ハードディスクドライブ（ＨＤＤ）、
１ａ、１ｂ…縁部、
１０…本体、
１１…筐体、
１２ａ、１２ｂ…磁気ディスク、
１３…スピンドルモータ、
１４…ヘッドアクチュエータ、
１５…蓋体、
１６…ねじ、
１８…ランプロード機構、
１９…ボイスコイルモータ（ＶＣＭ）、
２０…イナーシャラッチ機構、
２２…磁気ヘッド、
２４…軸受組立体、
４０、６０…ディスク装置、
４２、６２…アダプタ、
４３、６３…フランジ部、
４４、６４…ダンパ、
４５、６５…スリット、
５０…ケース。
【図１】
2004014030.tif 000003
【図２】
2004014030.tif 000004
【図３】
2004014030.tif 000005
【図４】
2004014030.tif 000006
【図５】
2004014030.tif 000007
【図６】
2004014030.tif 000008